(57)【要約】  【課題】本発明は、衣服、タオル等の長い物を掛けた時、その脱落、跡付きを防止する衣服ハンガー、スタンド等の提供にある。  【解決手段】衣服ハンガー、スタンド等の棒状掛部に嵌装し簡単には外れないように抜け防止機能を有して回転する構造の基部と該基部から延設する翼状バランス作動部とかに形成され、該基部及び翼状バランス作動部の外周面の全部又は一部に衣服、タオル等が脱落する時の力を回転する力に変換できるような滑り止処理を施してあり、かつ、回転軸の中心から基部の外周面までの半径距離と、回転軸の中心から翼状バランス作動部の端縁までの距離が、少なくとも１：３以上１：１５以内の梃子比に形成してなる鞍掛型バランスフラッパー。【選択図】図１
2007301011.tif 000002
【特許請求の範囲】
【請求項１】
衣服ハンガー、スタンド等の棒状掛部に嵌装し、簡単には外れないように抜け防止機能を有して回転する構造の基部と該基部から延設する翼状バランス作動部とが一体に形成され、該基部及び翼状バランス作動部の外周面の全部又は一部に衣服、タオル等が脱落する時の力を回転する力に変換できるような滑り止処理を施してあり、かつ、回転軸の中心から基部の外周面までの半径距離と、回転軸の中心から翼状バランス作動部の端縁までの距離が、少なくとも１：３以上１：１５以内の梃子比に形成してなる鞍掛型バランスフラッパー。
【請求項２】
前記鞍掛型バランスフラッパーは、該基部と翼状バランス作動部を形成する強度保持部材と該基部と翼状バランス作動部の外周面の全部又は一部に設ける滑り防止部材の２種類を使い成型品としてなる請求項１の鞍掛型バランスフラッパー。
【請求項３】
前記鞍掛型バランスフラッパーは、熱軟化可能なシート状素材に滑り防止処理を施し加熱加工により成型品としてなる請求項１又は請求項２の鞍掛型バランスフラッパー。
【発明の詳細な説明】
【技術分野】
【０００１】
本発明は、衣服ハンガー、スタンド等の棒状掛部に付設する鞍掛型バランスフラッパーに関するものである。
【背景技術】
【０００２】
従来、衣類ハンガーでは、図１に示すように、首部１ａから左右に分かれる肩部１ｂ１、１ｂ２には洋服・コートの外衣、ワイシャツ・ブラウスの中衣を掛けるもので、この部分を衣類が前後から包込むため脱落することはない。しかるに、上段棒状掛部１ｃにネクタイ、下段棒状掛部１ｄにズボン、スカーフ等の衣類の長い物を掛けており、それら左右の重さに差が無く均等に掛けられる場合は少なく、一般的には、目測で左右の長さの中間とみなして掛けることが多いから、左右のバランスが違い、重量の大きい方に引っ張られてハンガーの棒状掛部から衣類等が脱落してしまうものである。
【０００３】
次に、前記脱落防止の対策として棒状掛部に滑り止めを施した物があるが、前記左右の重量の違いを吸収することができず、脱落防止を改善する手段となっていない。
【０００４】
また、前記脱落防止の絶対的対策として、棒状掛部にクリップを配備したものも有るが、クリップのクランプ力が弱いと脱落し、反対に強いとクランプされた部分に跡が付き衣服の美観を損ねるものである。
【０００５】
次に、前記のように、衣類ハンガーの棒状部分に前後のバランスを不均衡に、衣服を掛けても自動的にバランスを取って衣服が棒状掛部から脱落しないハンガーとして、ハンガーの棒状掛部を、図２に示すように、所要径のズボン掛軸棒とし、その両端面に偏心に開口する軸受孔を設け、ハンガーの両端から降下する下向き腕に横向き設けた軸支ピンを前記軸受孔に嵌合し、ズボン掛軸棒を回転自在に支承するものが実開平６−２４５８３号公報に開示されている。
【０００６】
次に、同じく、自動的にバランスを取って衣服が棒状掛部から脱落しないハンガーとして、ハンガーの両端から降下する支持腕に差し渡される支軸に横断面での十字方向における内径が異なる偏平筒状の掛止体を、その長径方向に移動自在である共に、長径方向の両端部で回転自在に横架するものが特開２００１−２９９５５６号公報に開示されている。
【０００７】
【特許文献１】実開平６−２４５８３号公報
【特許文献２】特開２００１−２９９５５６号公報
【発明の開示】
【発明が解決しようとする課題】
【０００８】
本発明は、従来のハンガーの棒状掛部に本発明の鞍掛型バランスフラッパーを付設する簡単な構造で、衣服、タオル等の長い物を目測で、その左右の長さの中間を定め、無造作に掛けても左右のバランスを調整し、その衣服、タオル等にクリップによる挟み圧を加える必要もなく、衣服、タオル等の生地を挟み圧で傷めることもなく、簡易な構成で安定して掛け支持ができる衣服ハンガー、スタンド等の提供を目的になされたものである。
【課題を解決するための手段】
【０００９】
前記課題を解決するために本発明では、衣服ハンガー、スタンド等の棒状掛部に嵌装し簡単には外れないように抜け防止機能を有して回転する構造の基部と該基部から延設する翼状バランス作動部とが一体に形成され、該基部及び翼状バランス作動部の外周面の全部又は一部に衣服、タオル等が脱落する時の力を回転する力に変換できる滑り止処理を施してあり、かつ、回転軸の中心から基部の外周面までの半径距離と、回転軸の中心から翼状バランス作動部の端縁までの距離が、少なくとも１：３以上１：１５以内の梃子比に形成してなる鞍掛型バランスフラッパーにある。
【００１０】
前記鞍掛型バランスフラッパーは、該基部と翼状バランス作動部を形成する強度保持部材と該基部と翼状バランス作動部の外周面の全部又は一部に設ける滑り防止部材の２種類を使い成型品としてもよいものである。
【００１１】
前記鞍掛型バランスフラッパーは、熱軟化可能なシート状素材に滑り防止処理を施し加熱加工により成型品としてしてもよいものである。
【発明の効果】
【００１２】
本発明は、前述のように構成されるので、構造が簡単でありながら、衣服ハンガー、スタンド等の棒状部に衣服、タオル等を掛ける時に気を遣わずに任意の位置に掛けた状態でも衣類、ネクタイ、スカーフが脱落すること起きない。また、挟み込み等の特別な力で押えこまないので跡付き等が起きない等の画期的効果を奏するものである。
【００１３】
また、前記鞍掛型バランスフラッパーは、熱軟化可能なシート状素材に滑り防止処理を施し加熱加工により成型品とし製造、また、強度保持部材と表面部分の滑り防止部材の２種類を使い同時に成型品として製造できるから、生産性がよく、この種の製品の特徴である安価提供、大量消費に効果がある。
【発明を実施するための最良の形態】
【００１４】
衣服ハンガー、スタンド等の棒状掛部に嵌装し、復帰バネ作用により簡単には外れないように抜け防止機能を有して回転する構造の基部と該基部から延設する翼状バランス作動部とが熱軟化可能なシート状素材により一体に形成され、該基部及び翼状バランス作動部の外周面の全部又は一部に衣服、タオル等が脱落する時の力を回転する力に変換できる滑り止処理を施してあり、かつ、回転軸の中心から基部の外周面までの半径距離と、回転軸の中心から翼状バランス作動部の端縁までの距離が、１：５．５の梃子比に形成してなる鞍掛型バランスフラッパー。
【実施例】
【００１５】
以下、本発明の衣服ハンガー、スタンド等の鞍掛型バランスフラッパーの実施例として、一般の衣服ハンガー１に使用する鞍掛型バランスフラッパー２を図２〜図６により説明すると、一般の衣服ハンガー１において、上段棒状掛部１ｃ及び下段棒状掛部１ｄに鞍掛型バランスフラッパー２を回転自在に嵌装してなるものである。
【００１６】
前記鞍掛型バランスフラッパー２は、熱軟化可能な合成樹脂シート、例えば、ＰＣＶ、ＰＭＭＡ、ＰＳ、ＰＣ、ＰＥＴ等のシート状素材に滑り止め部材、例えば、シリコン樹脂、アクリルエラストマー、ポリエステルエラストマー、ポリウレタン、ゴム等の資材を選択使用し、その選択資材を前記シート状素材の表面の全部又は一部に印刷、塗装、貼付け、ラミネート等の適宜手段でコーテングして滑り止め３を設け、その後、例えば、図５に示すように切り出し、さらに、図４に示すように、成型してなるものである。
【００１７】
前記実施例の鞍掛型バランスフラッパー２は、図４に示すように、方形平板の中間を二つ折りして湾曲した基部２ａを形成し、その湾曲した基部２ａの内径面を閉塞軸受面４に形成しており、前記衣服ハンガー１の上段棒状掛部１ｃ及び下段棒状掛部１ｄに嵌装した時、それらに対して外れることなく全体が回転自在に付設することができる。
【００１８】
前記鞍掛型バランスフラッパー２は、前記のように、方形平板の中間を二つ折りして基部２ａを湾曲した後、残部を対面する翼状バランス作用部２ｂに形成し、基部２ａの外周面２ａ１とその基部２ａの回転軸の中心との半径距離Ｎ１と、基部２ａの回転軸の中心と翼状バランス作用部２ｂの端縁２ｂ１の距離Ｎ２が、図４に示すように、１：５．５の梃子比で形成している。この梃子比は、ハンガー本体の資材が、合成樹脂材であるか、金属材であるか、又、その他の条件により、１：３まで減少することも、又、１：１５まで拡大することもできる。
【００１９】
前記実施例の鞍掛型バランスフラッパー２の翼状バランス作用部２ｂの端縁２ｂ１は、二つ折り合せ面より斜面に拡開して外側に離れる形状に形成してもよく、一般の衣服ハンガー１において、上段棒状掛部１ｃ及び下段棒状掛部１ｄに嵌装し易い形状に形成している。そして勿論、上段棒状掛部１ｃ及び下段棒状掛部１ｄに押込む時には、バネ状に外側に開き、通過して基部２ａが嵌装したときには、元の形状に復帰するものである。
【００２０】
前記鞍掛型バランスフラッパー２の基部２ａの外周面２ａ１と翼状バランス作用部２ｂの滑り止め３は、特に、シリコン樹脂を印刷手段により施している実施例を図示している。
【００２１】
本発明の鞍掛型バランスフラッパー２の実施例は、前述のように構成されるから、例えば、衣服ハンガー１の下段棒状掛部１ｄにズボン５を掛けた場合について図６により説明すると、ズボン５を等分位置で掛けたつもりでも、ズボン５の腰側が重いので、左側の重量Ｗ１が右側の重量Ｗ２より大きくなり、図６（ａ）に示す通り矢印の方向には鞍掛型バランスフラッパーに回転力が働き、図６（ｂ）に示すように回転する。そこで、回転の中心から左側の基部２ａの外周面２ａ１までの半径距離Ｎ１と、回転の中心から右側の翼状バランス作動部２ｂの端縁２ｂ１までの距離Ｎ３とで、梃子比がＮ１：Ｎ３となり、ズボン５の左右の重量バランスが取れて鞍掛型バランスフラッパー２は停止し、ズボン５を安定して掛吊りすることができる。
【００２２】
ズボン５の左右の重量バランスが、さらに左側の重量Ｗ３が大きく、右側の重量Ｗ４が小さくなったときは、図６（ｃ）に示すように、鞍掛型バランスフラッパー２は、回転の中心に対して水平まで回転し、回転の中心から左側の基部２ａの外周面２ａ１までの半径距離Ｎ１と、回転の中心から翼状バランス作動部２ｂの端縁２ｂ１までの距離Ｎ２とで、梃子比がＮ１：Ｎ２となり、左側の重量Ｗ３と右側の重量Ｗ４との重量バランスが取れて停止する。図６（ｃ）に示す状態がズボン５において、一方側が最大、他方側が最小の釣り合い重量になる。
【００２３】
前記実施例における鞍掛型バランスフラッパー２は、棒状掛部１ｄに対して部分的であるが、図示しないが、全幅としてもよいものである。
【産業上の利用可能性】
【００２４】
本発明は、前述のようになるので、従来の衣服ハンガー、スタンド等に簡単に付設することでき、また、挟み込み等の特別な力で押えこまないので衣服に跡付きが起きない等の優れた効果を奏するものである。
【００２５】
また、前記鞍掛型バランスフラッパーは、特に、熱軟化可能なシート状素材に滑り防止処理を施し加熱加工により成型品とし製造、また、強度保持部材と表面部分の滑り防止部材の２種類を使い同時に成型品として製造できるから、生産性がよく、この種の製品の特徴である安価提供、大量消費に効果がある。
【図面の簡単な説明】
【００２６】
【図１】従来の衣服ハンガーを示す正面図である。
【図２】本発明の鞍掛型バランスフラッパーを装備した実施例を示す正面図である。
【図３】同じく、鞍掛型バランスフラッパー単体の拡大正面図である。
【図４】同じく、鞍掛型バランスフラッパー単体の拡大側面図である。
【図５】同じく、鞍掛型バランスフラッパーを熱軟化可能な合成樹脂シートから製造する場合において、表面に滑止処理を加工した状態を示す展開図である。
【図６】本発明の鞍掛型バランスフラッパーの作用説明図で、（ａ）は、衣服の左右のバランスが相違して掛けられた時、左右重量の不釣り合いを示すものである。（ｂ）は、鞍掛型バランスフラッパーが４５°回転してその作用により左側の重量と、右側の重量とが釣り合った状態を示すものである。（ｃ）は、鞍掛型バランスフラッパーが９０°回転してその作用により左側の重量と、右側の重量とが釣り合った状態を示すものである
【符号の説明】
【００２７】
１  一般の衣服ハンガー
１ａ  首部
１ｂ  肩掛部
１ｃ  上段棒状掛部
１ｄ  下段棒状掛部
２  鞍掛型バランスフラッパー
２ａ  基部
２ａ１  外周面
２ｂ  翼状バランス作用部
２ｂ１  端縁
３  滑止め
４  閉塞軸受面
５  ズボン
Ｎ１  半径距離
Ｎ２  距離
Ｎ３  距離
Ｗ１  左側の重量
Ｗ２  右側の重量
Ｗ３  左側の重量
Ｗ４  右側の重量
【図１】
2007301011.tif 000003
【図２】
2007301011.tif 000004
【図３】
2007301011.tif 000005
【図４】
2007301011.tif 000006
【図５】
2007301011.tif 000007
【図６】
2007301011.tif 000008
【手続補正書】
【提出日】平成18年5月9日(2006.5.9)
【手続補正１】
【補正対象書類名】明細書
【補正対象項目名】０００２
【補正方法】変更
【補正の内容】
【０００２】
従来、衣類ハンガーでは、図１に示すように、首部１ａから左右に分かれる肩部１ｂ１、１ｂ２には洋服・コートの外衣、ワイシャツ・ブラウスの中衣を掛けるもので、この部分を衣類が前後から包込むため脱落することはない。しかるに、上段棒状掛部１ｃにネクタイ、下段棒状掛部１ｄにズボン、スカーフ等の衣類の長い物を掛けており、それらを左右の重さに差が無く均等に掛けられる場合は少なく、一般的には、目測で左右の長さの中間とみなして掛けることが多いから、左右のバランスが違い、重量の大きい方に引っ張られてハンガーの棒状掛部から衣類等が脱落してしまうものである。